【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
所定の始動条件の成立に応じて複数種類の識別情報を変動表示させ、導出された表示結果が特定表示結果となったときに遊技者にとって有利な特定遊技状態に制御する遊技機であって、
遊技の進行を制御するとともに、該遊技の進行に応じたコマンドを送信する遊技制御手段と、
前記遊技制御手段から送信されたコマンドを受信し、識別情報を変動表示させ、表示結果を導出させる変動表示演出を含む演出の実行を、該受信したコマンドに基づいて制御する演出制御手段とを備え、
前記遊技制御手段は、
前記始動条件が成立したときに、該成立した始動条件に基づいて変動表示を行うためのデータを、保留記憶として所定数まで記憶する保留記憶手段と、
前記始動条件が成立したときに、前記保留記憶手段に記憶された保留記憶に基づいて実行される変動表示における態様を先読み予告するのに必要な所定の先読み情報を含む開始前先読みコマンドを送信する開始前コマンド送信手段とを備え、
前記演出制御手段は、
前記開始前先読みコマンドを受信したときに、該開始前先読みコマンドに含まれる先読み情報に基づいて、該開始前先読みコマンドに対応した変動表示における態様を先読み予告するか否かを決定する第１先読み予告決定手段と、
前記第１先読み予告決定手段の決定結果に従って、前記開始前先読みコマンドに含まれる先読み情報に基づいて前記先読み予告を実行する第１先読み予告実行手段と、
前記開始前コマンド送信手段から送信された開始前先読みコマンドを受信したときに、該開始前先読みコマンドが示す先読み情報を所定の記憶領域に記憶させる手段であって、各々の先読み情報を少なくとも対応する変動表示が開始されるまでは記憶させておく先読み情報記憶手段と、
予め定められた特定条件が成立したときに、前記先読み情報記憶手段により前記所定の記憶領域に記憶された前記先読み情報を参照して、該所定の記憶領域に記憶された先読み情報に対応した変動表示における態様を先読み予告するか否かを決定する第２先読み予告決定手段と、
前記第２先読み予告決定手段の決定結果に従って、前記所定の記憶領域に記憶された前記先読み情報に対応した変動表示における態様を先読み予告する第２先読み予告実行手段を含む
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に関し、特に遊技の進行を制御する遊技制御手段と演出の実行を制御する演出制御手段とに分けて制御手段を構成するとともに、始動条件の成立に応じて保留記憶されている保留記憶に基づく変動表示に対する先読み予告を実行する遊技機に関する。
【手続補正３】
【補正対象書類名】明細書
【補正対象項目名】００１１
【補正方法】変更
【補正の内容】
【００１１】
上記目的を達成するため、本発明にかかる遊技機は、
所定の始動条件の成立に応じて複数種類の識別情報を変動表示させ、導出された表示結果が特定表示結果となったときに遊技者にとって有利な特定遊技状態（第１大当たり遊技状態）に制御する遊技機（パチンコ遊技機１）であって、
遊技の進行を制御するとともに、該遊技の進行に応じたコマンドを送信する遊技制御手段（ＣＰＵ５６）と、
前記遊技制御手段から送信されたコマンドを受信し、識別情報を変動表示させ、表示結果を導出させる変動表示演出を含む演出の実行を、該受信したコマンドに基づいて制御する演出制御手段（表示制御基板８０の表示制御用ＣＰＵ）とを備え、
前記遊技制御手段は、
前記始動条件が成立したときに、該成立した始動条件に基づいて変動表示を行うためのデータを、保留記憶として所定数（合計８個）まで記憶する保留記憶手段（ＲＡＭ５５の保留記憶バッファ）と、
前記始動条件が成立したときに、前記保留記憶手段に記憶された保留記憶に基づいて実行される変動表示における態様を先読み予告するのに必要な所定の先読み情報（大当たり情報及び変動パターン情報）を含む開始前先読みコマンド（始動入賞コマンドＣ１０３）を送信する開始前コマンド送信手段（ＣＰＵ５６：始動入賞時における始動入賞コマンドの送信）とを備え、
前記演出制御手段は、
前記開始前先読みコマンドを受信したときに、該開始前先読みコマンドに含まれる先読み情報に基づいて、該開始前先読みコマンドに対応した変動表示における態様を先読み予告するか否かを決定する第１先読み予告決定手段（表示制御基板８０の表示制御用ＣＰＵ：先読み予告演出の対象となる変動表示とするか否かは、始動入賞コマンドの受信時に決定）と、
前記第１先読み予告決定手段の決定結果に従って、前記開始前先読みコマンドに含まれる先読み情報に基づいて前記先読み予告を実行する第１先読み予告実行手段（表示制御基板８０の表示制御用ＣＰＵ：先読み予告演出の実行）と、
前記開始前コマンド送信手段から送信された開始前先読みコマンドを受信したときに、該開始前先読みコマンドが示す先読み情報を所定の記憶領域に記憶させる手段であって、各々の先読み情報を少なくとも対応する変動表示が開始されるまでは記憶させておく先読み情報記憶手段（大当たり情報キュー８０ａ）と、
予め定められた特定条件（大当たりラウンド演出のエンディング演出の開始）が成立したときに、前記先読み情報記憶手段により前記所定の記憶領域に記憶された前記先読み情報を参照して、該所定の記憶領域に記憶された先読み情報に対応した変動表示における態様を先読み予告するか否かを決定する第２先読み予告決定手（表示制御基板８０の表示制御用ＣＰＵ：大当たりラウンド演出のエンディング演出の際に、大当たり情報キュー８０ａを参照して先読み予告することを決定）と、
前記第２先読み予告決定手段の決定結果に従って、前記所定の記憶領域に記憶された前記先読み情報に対応した変動表示における態様を先読み予告する第２先読み予告実行手段（表示制御基板８０の表示制御用ＣＰＵ：先読み予告の実行）を含む
ことを特徴とする。
【手続補正４】
【補正対象書類名】明細書
【補正対象項目名】００１２
【補正方法】変更
【補正の内容】
【００１２】
上記遊技機では、遊技の進行を制御する遊技制御手段と演出の実行を制御する演出制御手段とに分かれて制御手段が構成され、遊技の進行に応じて遊技制御手段から送信されるコマンドに基づいて演出制御手段により演出の実行が制御されるものとなっている。ここで、遊技制御手段においては、始動条件が成立したときに、該始動条件の成立に対して即座に変動表示が実行される場合（先に成立した始動条件に基づく変動表示が実行されていない場合）を除いて変動表示を行うためのデータが保留記憶として保留記憶手段に記憶されるが、このときに先読み情報を含む開始前先読みコマンドを、演出制御手段へと送信するものとなっている。
【手続補正５】
【補正対象書類名】明細書
【補正対象項目名】００１３
【補正方法】変更
【補正の内容】
【００１３】
演出制御手段においては、始動条件の成立により遊技制御手段から送信された開始前先読みコマンドを受信すると、当該開始前先読みコマンドに対応した変動表示における態様を先読み予告するか否かを、当該開始前先読みコマンドに含まれる先読み情報に基づいて決定する。そして、この決定結果に従って、受信した開始前先読みコマンドに対応した変動表示に対する先読み予告を実行するものとなる。
【手続補正６】
【補正対象書類名】明細書
【補正対象項目名】００１４
【補正方法】変更
【補正の内容】
【００１４】
また、特定遊技状態に制御されていないときには、始動条件の成立と変動表示の実行との関係で保留記憶手段に記憶されている保留記憶の数が常に変化され得る状態にあるが、開始前先読みコマンドを受信する度に（すなわち、始動条件が成立する度に）先読み予告を実行するか否かを即座に決定することができる。もっとも、演出制御手段が遊技制御手段から受信した開始前先読みコマンドが示す先読み情報は、特定遊技状態に制御されていないときの先読み予告の実行の決定に関わらずに、先入れ先出し方式で先読み情報記憶手段に記憶されていくこととなる。
【手続補正７】
【補正対象書類名】明細書
【補正対象項目名】００１６
【補正方法】変更
【補正の内容】
【００１６】
なお、特定遊技状態に制御されていないときには、始動条件が成立し得るものの変動表示の実行がないため、たいていの場合は終了までに保留記憶手段に記憶されている保留記憶の数が上限数まで達する。そして、このような特定遊技状態に制御されていることは、上記の特定条件として適用するのに適切なものとなる。
【手続補正８】
【補正対象書類名】明細書
【補正対象項目名】００１７
【補正方法】変更
【補正の内容】
【００１７】
上記遊技機において、
前記遊技制御手段は、
前記保留記憶手段に記憶されている保留記憶により行う変動表示において特定表示結果を導出させるか否かを、該保留記憶による変動表示の表示結果を導出するよりも前に決定する特定決定手段（ＣＰＵ５６：大当たり抽選、大当たり種別抽選）と、
少なくとも前記特定決定手段の決定結果に応じて、識別情報の変動表示の表示結果が導出されるまでに実行される識別情報の変動パターン（変動パターンの種別）を複数種類の変動パターンのうちから選択する変動パターン選択手段（ＣＰＵ５６：変動パターンの種別の決定）とをさらに備えるものであってもよい。この場合において、
前記先読み情報は、前記特定決定手段により前記特定表示結果を導出させる旨が決定されるか否かを特定可能な特定決定情報（大当たり情報）と、前記変動パターン選択手段により選択される変動パターンが特定の変動パターンであるかを特定可能な変動選択情報（変動パターン情報）とを含み、
前記第２先読み予告決定手段は、前記特定遊技状態に制御されているときに、前記先読み情報に含まれる前記特定決定情報と前記変動選択情報との何れか一方（大当たり情報）に基づいて、前記先読み予告を実行するか否かを決定し、
前記第１先読み予告決定手段は、前記特定遊技状態に制御されていないときに、前記先読み情報に含まれる前記特定決定情報と前記変動選択情報との何れか他方（変動パターン情報）に基づいて、前記先読み予告を実行するか否かを決定するものとすることができる。
【手続補正９】
【補正対象書類名】明細書
【補正対象項目名】００１８
【補正方法】変更
【補正の内容】
【００１８】
ここで、前記特定決定情報に基づいて前記先読み予告を実行するか否かが決定された場合には、前記保留記憶手段に記憶されている保留記憶のうちに前記特定表示結果を導出させる旨が決定される保留記憶が含まれているか否かが先読み予告されるものとなり（先読み予告では、保留記憶中に大当たりとなるものが含まれているかが予告される）、前記変動選択情報に基づいて前記先読み予告を実行する旨が決定された場合には、前記保留記憶手段に記憶されている保留記憶のうちに前記特定の変動パターンが選択される保留記憶が含まれているか否かが先読み予告されるものとなる（先読み予告演出では、保留記憶中にスーパーリーチとなるものが含まれているかが予告される）。
【手続補正１０】
【補正対象書類名】明細書
【補正対象項目名】００１９
【補正方法】変更
【補正の内容】
【００１９】
この場合、特定遊技状態に制御されているときには、保留記憶手段に記憶されている保留記憶のうちに特定表示結果を導出させる旨が決定される保留記憶が含まれているか否かと特定の変動パターンが選択される保留記憶が含まれているか否かの何れか一方が先読み予告されることになり、特定遊技状態に制御されていないときには、保留記憶手段に記憶されている保留記憶のうちに特定表示結果を導出させる旨が決定される保留記憶が含まれているか否かと特定の変動パターンが選択される保留記憶が含まれているか否かの何れか他方が先読み予告されることになる。
【手続補正１１】
【補正対象書類名】明細書
【補正対象項目名】００２１
【補正方法】変更
【補正の内容】
【００２１】
ここで、
前記遊技制御手段が、前記特定遊技状態が終了した後に、前記特定決定手段が前記特定表示結果を導出させる旨を決定する確率を通常遊技状態よりも高くする確率変動状態（確率変動状態）に遊技状態を制御する確率変動状態制御手段（ＣＰＵ５６）をさらに備える場合においては、
前記第２先読み予告決定手段は、前記先読み情報に含まれる前記特定決定情報に基づいて、前記先読み予告を実行するか否かを決定し、
前記第１先読み予告決定手段は、前記先読み情報に含まれる前記変動選択情報に基づいて、前記先読み予告を実行するか否かを決定するものとすることが好ましい。
【手続補正１２】
【補正対象書類名】明細書
【補正対象項目名】００２３
【補正方法】変更
【補正の内容】
【００２３】
また、前記遊技制御手段は、前記特定決定手段により特定表示結果を導出させる旨が決定されたときに、前記確率変動状態に制御するか否かを決定する確変決定手段を含み、前記確率変動状態制御手段は、前記確変決定手段により前記確率変動状態に制御する旨が決定されたことを条件として、前記確率変動状態に制御するものとすることができる（大当たりの種別に通常大当たりや時短大当たりを含む変形例）。この場合において、
前記第２先読み予告決定手段は、前記確変決定手段により前記確率変動状態に制御する旨が決定されたことを条件として、前記先読み情報に含まれる前記特定決定情報に基づいて、前記先読み予告を実行するか否かを決定するものとすることができる（大当たりの種別に通常大当たりや時短大当たりを含む場合は、何れかの確率変動大当たりとなった場合に先読み予告することを決定する変形例）。
【手続補正１３】
【補正対象書類名】明細書
【補正対象項目名】００２４
【補正方法】変更
【補正の内容】
【００２４】
ここでは、特定遊技状態の終了後に確率変動状態に制御されることとなる場合には、特定遊技状態が終了するまでに保留記憶手段に記憶されている保留記憶は、特定の変動パターンが実行される保留記憶であることよりもむしろ特定表示結果を導出させる旨が決定される保留記憶であることを遊技者が期待するものとなる。第２先読み予告決定手段が特定決定情報に基づいて先読み予告を実行するか否かを決定することで、この遊技者の期待感により的確に応えることのできる先読み予告の実行が可能となる。
【手続補正１４】
【補正対象書類名】明細書
【補正対象項目名】００２５
【補正方法】変更
【補正の内容】
【００２５】
上記遊技機において、
前記開始前コマンド送信手段は、前記始動条件が成立したときに、該始動条件の成立までで前記保留記憶手段に記憶されている保留記憶の数を含む開始前保留記憶数コマンド（始動入賞コマンドＡ１０１、始動入賞コマンドＢ１０２）と、前記開始前先読みコマンドとを、それぞれ別個のコマンドとして順次送信するものであってもよい。この場合において、
前記演出制御手段は、
前記開始前保留記憶数コマンドと前記開始前先読みコマンドとを所定の時間以内の間隔で受信したか否かを判定する受信間隔判定手段（表示制御基板８０の表示制御用ＣＰＵ）と、
前記受信間隔判定手段により前記所定の時間以内の間隔で受信していないと判定されたときに、前記開始前先読みコマンドに含まれる先読み情報に基づいて前記先読み予告決定手段が先読み予告を実行する旨を決定することを禁止する先読み予告禁止手段とをさらに備えるものとすることができる（始動入賞コマンドＡ１０１または始動入賞コマンドＢ１０２の受信から所定時間以内に始動入賞コマンドＣ１０３を受信していなければ、対応する変動表示を先読み予告演出の対象としない：図７）。
【手続補正１５】
【補正対象書類名】明細書
【補正対象項目名】００２６
【補正方法】変更
【補正の内容】
【００２６】
なお、同じ始動条件の成立に基づいて送信される前記開始前保留記憶数コマンドと前記開始前先読みコマンドとは、その送信順が常に一定であれば、何れが先に送信されるものであっても構わない。すなわち、前記始動条件の成立に基づいて前記開始前保留記憶数コマンド、前記開始前先読みコマンドの順で送信されるものとしても、前記開始前先読みコマンド、前記開始前保留記憶数コマンドの順で送信されるものとしてもよい。
【手続補正１６】
【補正対象書類名】明細書
【補正対象項目名】００２７
【補正方法】変更
【補正の内容】
【００２７】
また、前記遊技制御手段が、所定の時間毎に実行される送信処理でコマンドを１つずつ順次、或いは複数同時に送信し（この場合、前記開始前保留記憶数コマンドと前記開始前先読みコマンドは、原則として所定の時間間隔で送信されるか、実質的に同時に送信される）、
前記演出制御手段が、前記所定の時間以上の特定の時間毎に実行される受信判定処理で前記遊技制御手段から送信されたコマンドの受信を判断する場合には、
前記受信間隔判定手段は、前記開始前保留記憶数コマンドと前記開始前先読みコマンドとを同じ回の受信判定処理、或いは連続した２回の受信判定処理で受信したことを条件として、前記開始前保留記憶数コマンドと前記開始前先読みコマンドとを所定の時間以内の間隔で受信したと判定することができる。
【手続補正１７】
【補正対象書類名】明細書
【補正対象項目名】００２８
【補正方法】変更
【補正の内容】
【００２８】
ここでは、同じ始動条件の成立に対して開始前保留記憶数コマンドと開始前先読みコマンドとが順次送信されるが、遊技制御手段と演出制御手段との間のコマンドの送受信が全て正しく行われているなら、同じ始動条件の成立に対する開始前保留記憶数コマンドと開始前先読みコマンドとは、ほとんど時間間隔を置かずに演出制御手段において続けて受信されることとなる。
【手続補正１８】
【補正対象書類名】明細書
【補正対象項目名】００２９
【補正方法】変更
【補正の内容】
【００２９】
コマンドの送受信において上記のような異常が生じていた場合、例えば、１の始動条件の成立に対する開始前保留記憶数コマンドを受信した後に受信するのが当該１の始動条件の成立に対する開始前先読みコマンドではなく、他の始動条件の成立に対する開始前先読みコマンドとなるようなことも起こりえる。もっとも、このような異常が生じる場合には、開始前保留記憶数コマンドと開始前先読みコマンドの受信の間に一定の時間間隔が生じることが多いので、このような場合に先読み予告を実行する旨が決定することを禁止することによって、本来先読み予告の対象とすべきでない変動表示に対して意図せぬ先読み予告が実行されてしまうことを防ぐことができるものとなる。
【手続補正１９】
【補正対象書類名】明細書
【補正対象項目名】００３０
【補正方法】変更
【補正の内容】
【００３０】
上記遊技機において、
前記開始前コマンド送信手段は、前記始動条件が成立したときに、該始動条件の成立までで前記保留記憶手段に記憶されている保留記憶の数（保留記憶数情報）を含む開始前保留記憶数コマンド（始動入賞コマンドＡ１０１、始動入賞コマンドＢ１０２）と、前記開始前先読みコマンドとを、それぞれ別個のコマンドとして順次送信するものであってもよい。この場合において、
前記演出制御手段は、
前記開始前保留記憶数コマンドを受信したときに、該開始前保留記憶数コマンドに含まれる保留記憶の数が、該開始前保留記憶数コマンドよりも前までに受信したコマンドに基づいて判断される保留記憶の数を前記始動条件の成立により増加させた数であって前記所定数の範囲までの数である正常数であるか否かを判定する保留記憶数判定手段（表示制御基板８０の表示制御用ＣＰＵ）と、
前記保留記憶数判定手段により前記開始前保留記憶数コマンドに含まれる保留記憶の数が正常数でないと判定されたときに、該開始前保留記憶数コマンドに対応して送信された前記開始前先読みコマンドに含まれる先読み情報に基づいて先読み予告を実行する旨を決定することを禁止する先読み予告禁止手段（受信した始動入賞コマンドＡ１０１または始動入賞コマンドＢ１０２が表示制御用ＣＰＵが把握していた保留記憶数から１だけ増えたことを示してなければ、対応する変動表示を先読み予告演出の対象としない：図７）とを備えるものとすることができる。
【手続補正２０】
【補正対象書類名】明細書
【補正対象項目名】００３１
【補正方法】変更
【補正の内容】
【００３１】
或いは、上記遊技機において、
前記開始前コマンド送信手段は、前記始動条件が成立したときに、該始動条件の成立までで前記保留記憶手段に記憶されている保留記憶の数（保留記憶数情報）を、前記先読み情報とともに前記開始前先読みコマンドに含めて送信するものであってもよい（保留記憶情報、大当たり情報及び変動パターン情報の全てを含む始動入賞コマンドを送信する変形例）。この場合において、
前記演出制御手段は、
前記開始前先読みコマンドを受信したときに、該開始前先読みコマンドに含まれる保留記憶の数が、該開始前先読みコマンドよりも前までに受信したコマンドに基づいて判断される保留記憶の数を前記始動条件の成立により増加させた数であって前記所定数の範囲までの数である正常数であるか否かを判定する保留記憶数判定手段（表示制御基板８０の表示制御用ＣＰＵ）と、
前記保留記憶数判定手段により前記開始前先読みコマンドに含まれる保留記憶の数が正常数でないと判定されたときに、該開始前先読みコマンドに含まれる先読み情報に基づいて先読み予告を実行する旨を決定することを禁止する先読み予告禁止手段（受信した始動入賞コマンドＡ１０１または始動入賞コマンドＢ１０２が表示制御用ＣＰＵが把握していた保留記憶数から１だけ増えたことを示してなければ、対応する変動表示を先読み予告演出の対象としない：図７）とを備えるものとすることができる。
【手続補正２１】
【補正対象書類名】明細書
【補正対象項目名】００３２
【補正方法】変更
【補正の内容】
【００３２】
遊技制御手段と演出制御手段との間のコマンドの送受信が全て正しく行われている限り、演出制御手段は、本来的に先読み予告の対象とすべき変動表示に対して的確な先読み予告を行うことができるが、この遊技制御手段と演出制御手段との間のコマンドの送受信が全て正しく行われることが保証されている訳ではない。すなわち、遊技制御手段が遊技の進行に応じて正しくコマンドを送信しているのに演出制御手段が取りこぼしてしまったり、遊技制御手段の送信も演出制御手段の受信も正しく行われているのに送受信の途中でコマンドがデータ化けしてしまったりという異常も生じることがある。これは、開始前先読みコマンド（及び開始前保留記憶数コマンド）に対しても起こりえる。
【手続補正２２】
【補正対象書類名】明細書
【補正対象項目名】００３３
【補正方法】変更
【補正の内容】
【００３３】
開始前先読みコマンド（及び開始前保留記憶数コマンド）の送受信において上記のような異常が生じていた場合、演出制御手段において受信した開始前先読みコマンド（または開始前保留記憶数コマンド）に含まれる保留記憶の数となるまでの変動表示に亘って先読み予告を実行してしまうことを決定してしまうと、本来先読み予告の対象とすべきでない変動表示に対して意図せぬ先読み予告が実行されてしまう虞がある。
【手続補正２３】
【補正対象書類名】明細書
【補正対象項目名】００３４
【補正方法】変更
【補正の内容】
【００３４】
これに対して、上記遊技機では、演出制御手段において、遊技制御手段から送信された開始前先読みコマンド（または開始前保留記憶数コマンド）を受信したときに、これらのコマンドに含まれる保留記憶の数が、それよりも前までに受信したコマンド（開始前先読みコマンド（及び開始前保留記憶数コマンド）に限らない）に基づいて判断される保留記憶の数を始動条件の成立により増加させた数であって保留記憶手段に記憶可能な保留記憶の数の上限である所定数の範囲までの数である正常数であるか否かを判定し、正常数でないと判定したときには、当該開始前先読みコマンドに含まれる先読み情報に基づいて先読み予告を実行する旨を決定することを禁止している。これにより、本来先読み予告の対象とすべきでない変動表示に対して意図せぬ先読み予告が実行されてしまうことを防ぐことができるものとなる。
【手続補正２４】
【補正対象書類名】明細書
【補正対象項目名】００３５
【補正方法】変更
【補正の内容】
【００３５】
なお、前記保留記憶数判定手段は、受信した開始前先読みコマンド（または開始前保留記憶数コマンド）に含まれる保留記憶の数が前記保留記憶手段に記憶可能な保留記憶の数の上限である所定数の範囲内であって、該開始前先読みコマンド（または開始前保留記憶数コマンド）よりも前までに受信したコマンドに基づいて判断される保留記憶の数よりも１の始動条件の成立に対して前記保留記憶手段に記憶される保留記憶の数（一般的には、１）だけ増加したことを示すものであるときに、該開始前先読みコマンド（または開始前保留記憶数コマンド）に含まれる保留記憶の数が正常数であるものと判定することができる。
【手続補正２５】
【補正対象書類名】明細書
【補正対象項目名】００３６
【補正方法】変更
【補正の内容】
【００３６】
上記遊技機において、
前記第２先読み予告決定手段は、前記先読み情報記憶手段に記憶された先読み情報のうちで、前記先読み予告を実行するか否かを決定するために過去に参照された先読み情報以外の先読み情報を参照して、前記先読み予告を実行するか否かを決定するものとしてもよい（大当たり情報キュー８０ａにおいて、先読み予告の決定がされた大当たり情報に対してフラグを設定。大当たりラウンド演出のエンディング演出の際は、フラグの設定されていない大当たり情報を参照して先読み予告することを決定）。
【手続補正２６】
【補正対象書類名】明細書
【補正対象項目名】００３７
【補正方法】変更
【補正の内容】
【００３７】
この場合、先読み情報記憶手段に記憶された先読み情報のうちで既に先読み予告を実行するか否かを決定するために参照された先読み情報を参照せずに、第２先読み予告実行手段により先読み予告を実行するか否かを決定するものとしている。このため、同じ変動表示を対象とした先読み予告の決定が重ねて行われることがなく、例えば、近い時期に成立した始動条件に基づく保留記憶に特定表示結果を導出させるものが複数あり、１回の特定遊技状態が終了した時点で保留記憶手段に記憶されていた保留記憶が次の特定遊技状態が終了した時点でも保留記憶手段に記憶されている場合などに、同じ保留記憶に基づく変動表示に対して異なる先読み予告が実行されないようにすることができる。また、先読み予告の出現率の調整が容易になる。
【手続補正２７】
【補正対象書類名】明細書
【補正対象項目名】００３８
【補正方法】変更
【補正の内容】
【００３８】
上記遊技機において、
前記遊技制御手段は、
前記始動条件が成立したときに、識別情報の変動表示の表示結果が導出されるまでに行われる識別情報の変動パターンを選択するための変動パターン決定用数値データ（変動パターン判定用乱数）とを含む数値データを抽出する数値データ抽出手段（ＣＰＵ５６）と、
前記特定決定手段の決定結果と、識別情報の変動表示が開始されるときに他に前記保留記憶手段に記憶されている保留記憶の数と、前記数値データ抽出手段により抽出された前記変動パターン決定用数値データの値と、複数種類の変動パターンの各々に対応した判定値とに基づいて（ハズレ変動パターンを選択する乱数の範囲は、変動表示の開始時の保留記憶数が２以下か３以上かで異なる：図４）、当該変動表示における識別情報の変動パターン（変動パターン）を選択する変動パターン選択手段（表示制御基板８０の表示制御用ＣＰＵ）とをさらに備え、
前記保留記憶手段は、前記数値データ抽出手段により抽出された数値データを、前記保留記憶として記憶するものとしてもよい（ＲＡＭ５５の保留記憶バッファには、始動入賞時に抽出した各種乱数を格納）。この場合において、
前記特定変動パターンに対応した判定値は、識別情報の変動表示が開始されるときに前記保留記憶手段に記憶されている保留記憶の数に関わらずに、共通の判定値が設定され（スーパーリーチの変動パターンを選択する乱数の範囲は、保留記憶数が２以下のときも３以上のときも同じ：図４）、
前記特定変動パターンと異なる非特定変動パターンに対応した判定値は、識別情報の変動表示が開始されるときに前記保留記憶手段に記憶されている保留記憶の数に応じて異なる判定値が設定されたものとすることができる（非リーチハズレ、ノーマルリーチハズレの変動パターンを選択する乱数の範囲は、保留記憶数が２以下のときと３以上のときとで異なる：図４）。
【手続補正２８】
【補正対象書類名】明細書
【補正対象項目名】００３９
【補正方法】変更
【補正の内容】
【００３９】
この場合、特定変動パターンとは異なる非特定変動パターンに対応した判定値は、識別情報の変動表示が開始されるときに保留記憶手段に記憶されている保留記憶の数に応じて異なるものとなっているが、特定変動パターンに対応した判定値は、識別情報の変動表示が開始されるときに他に保留記憶手段に記憶されている保留記憶の数に関わらずに共通の判定値となっている。これにより、特定変動パターンを常に一定の割合で選択しつつ、識別情報の変動表示が開始されるときに他に保留記憶手段に記憶されている保留記憶の数に応じて変動パターン（特定変動パターン以外の所定の変動パターン）を選択する割合を変えることもできる。
【手続補正２９】
【補正対象書類名】明細書
【補正対象項目名】００４０
【補正方法】変更
【補正の内容】
【００４０】
また、各回の変動表示について実際に決定される変動パターンは、当該変動表示が開始されるときに他に保留記憶手段に記憶されている保留記憶の数に応じて選択されるが、特定変動パターンは、変動表示が開始されるときに他に保留記憶手段に記憶されている保留記憶の数が幾つになっていても、同じように選択されるものとなっている。このため、始動条件が成立したときに、当該成立した始動条件に対応する変動表示が開始するときに他に保留記憶手段に記憶されている保留記憶の数が確定していなくても、特定変動パターンとなることだけは特定することができるものとなる。
【手続補正３０】
【補正対象書類名】明細書
【補正対象項目名】００４１
【補正方法】変更
【補正の内容】
【００４１】
このような効果は、前記先読み予告実行手段が、前記保留記憶手段に記憶されている保留記憶のうちに前記特定の変動パターンが選択される保留記憶が含まれているか否を先読み予告するものである場合において、顕著に奏される。